【事件の表示】
　平成　７年特許願第５１８１９２号「使い捨て吸収性物品のためのエラストマー耳部」拒絶査定不服審判事件〔平成　７年　７月　６日国際公開、ＷＯ９５／１７８７１、平成　９年　７月２９日国内公表、特表平　９−５０７４０９〕について、次のとおり審決する。
【結　論】
　本件審判の請求は、成り立たない。
【理　由】
１　手続の経緯・本願発明の特定
　本願は、平成６年１２月２８日（パリ条約による優先権主張平成５年１２月２８日、米国）を国際出願日とする出願であって、その請求項１乃至２９に係る発明は、平成１５年８月１１日付け手続補正書により補正された明細書の記載からみて、その特許請求の範囲の請求項１乃至２９に記載されたとおりのものであると認められるところ、請求項１、１５に係る発明（以下、「本願発明１」、「本願発明２」という。）は、次のとおりである。
　「【請求項１】　前部分と、後部分と、前部分及び後部分を接続している股部分とを有する使い捨て吸収性物品において、
　外側カバーと、
　透液性の身体側ライナーと、
　前記カバーと前記身体側ライナーとの間に配置されている吸収性材料と、
　前記後部分に取付けられており、内側縁部、外側縁部、第１接続縁部及び第２接続縁部を有し、第１接続縁部及び第２接続縁部は、内側縁部と外側縁部とを接続し、前記第２接続縁部は前記第１接続縁部に対して平行ではなく、前記内側縁部は前記外側縁部よりも長くしてある、１対のエラストマー耳部と、
　前記エラストマー耳部に結合され、該エラストマー耳部を前部分に重ね合わせた関係に固着するファスナとを備え、
　使用時において、前記前部分と前記後部分とが着用者の腰部周囲において重なり合うことなく、前記第１接続縁部により着用者の腰部の開口の一部分が形成され、前記第２接続縁部により着用者の脚の開口の少なくとも一部分が限定されることを特徴とする使い捨て吸収性物品。
　【請求項１５】　使い捨て吸収性物品に使用されるエラストマー耳部において、
　内側縁部、外側縁部、第１接続縁部および第２接続縁部を有し、第１接続縁部および第２接続縁部は、内側縁部及び外側縁部を接続しており、第２接続縁部は第１接続縁部に対して平行でなく、前記内側縁部を外側縁部よりも長くしてあるエラストマー材料の本体と、
　エラストマー耳部に結合され、該エラストマー耳部を基層に剥離可能なように固着するファスナとから成り、
　使用時において、前記第１接続縁部は着用者の腰部開口の一部分を形成し、前記第２接続縁部は、着用者の脚用開口の少なくとも一部分を限定することを特徴とするエラストマー耳部。」
　
２　引用例
　これに対して、当審で平成１６年１１月１８日付けで通知した拒絶の理由に引用された、本願の優先権主張の日前に日本国内において頒布された刊行物である実願平３−６１６１２号（実開平５−７２１９号）のＣＤ−ＲＯＭ（以下、「第１引用例」という。）には、図面とともに次の記載がある。
（ａ）「【産業上の利用分野】
　本考案は伸縮性の良好な弾性体を使用した使捨ておむつに係り、装着感を向上しようとするものである。」（段落【０００１】）
（ｂ）「【実施例】
　以下本考案の第１実施例を説明すれば、(１)は表面層で、液透過性の不織布等により形成し、図１に示す如く、液不透過性のポリエチレン等の防漏層(２)との間に、表面層(１)および防漏層(２)よりも長さ方向が短い吸収層(３)を介装している。この吸収層(３)は、パルプ、吸収性高分子等により形成し、長さ方向の両端に臨ませて表面層(１)と防漏層(２)とから成るエンドフラップ(４)(５)を形成する。
　また、吸収層(３)は、両側に臨ませて表面層(１)と防漏層(２)とから成るサイドフラップ(６)(７)を形成している。そしてこのサイドフラップ(６)(７)の両側で、背側のエンドフラップ(４)寄りに、撥水性不織布等の連結体(８)(９)を突出形成し、この連結体(８)(９)の先端に設けた止着部(１１)を、防漏層(２)の腹側外面に止着固定可能としている。」（段落【００２０】、【００２１】）
（ｃ）「…第４実施例では、図４に示す如く、連結体(８)(９)は、伸長性の撥水性不織布により形成し、この連結体(８)(９)にネット状の弾性体(１２)(１２)を止着し、装着時に於て、連結帯(８)(９)に形成した止着部(１１)を、防漏層(２)の腹側の外面部に止着可能としている。」（段落【００３２】）
（ｄ）図４より、背側に取付けられた一対の連結体（８）（９）が、内側縁部、外側縁部、第１接続縁部および第２接続縁部を有し、第１接続縁部および第２接続縁部は、内側縁部及び外側縁部を接続しており、第２接続縁部は第１接続縁部に対して平行でなく、前記内側縁部を外側縁部よりも長くしてある点が認められる。また、使捨ておむつ（１７）の腹側と背側を接続している部分が股部分であることは明らかである。
　したがって、上記（ａ）〜（ｄ）の記載を総合すると、第１引用例には、
　「腹側と、背側と、腹側及び背側を接続している股部分とを有する使捨ておむつにおいて、
　液不透過性の防漏層と、
　液透過性の表面層と、
　前記防漏層と前記表面層との間に配置されている吸収層と、
　前記背側に取付けられており、内側縁部、外側縁部、第１接続縁部及び第２接続縁部を有し、第１接続縁部及び第２接続縁部は、内側縁部と外側縁部とを接続し、前記第２接続縁部は前記第１接続縁部に対して平行ではなく、前記内側縁部は前記外側縁部よりも長くしてある、１対のネット状の弾性体を止着した連結体と、
　前記連結体に結合され、該連結体を腹側に重ね合わせた関係に固着する止着部とを備えた使捨ておむつ。」の発明が記載されているものと認める。
　また、当審で平成１６年１１月１８日付けで通知した拒絶の理由に引用された、本願の優先権主張の日前に日本国内において頒布された刊行物である実願昭５０−５３９９２号（実開昭５１−１３５７５３号）のマイクロフィルム（以下、「第２引用例」という。）には、図面とともに次の記載がある。
（ｅ）「それぞれ吸水性に富み且つ横方向へ大きい伸縮性を有するほぼ長方形外側布１、内側布２および布２の内側にこれと同形の吸水性がなく且つ横方向へ大きい伸縮性を有する当布３を重ね、これらをその前後両端で縫着４し、外側布１の一端の左右に横方向へ大きい伸縮性を有する突出布５を連設して、その各先端の内面にそれぞれ面ファスナー小片６を具え、又外側布１の他端はこれを面ファスナー小片６と係合するほぼ逆Ｖ字形のパイル編面ファスナー布７で形成してなるおしめ。」（実用新案登録請求の範囲）
（ｆ）「第４図に示す如く中央部で二つ折りして当布３の中央を股下に当て、突出布５、５を背から前へまわして、そのファスナー小片６を腹部のファスナー布７面に係合し装着するもので」（明細書第２頁第７〜１０行）
（ｇ）第４図は使用時の正面図である（「４　図面の簡単な説明」参照）ことから、第４図により、おむつの使用時においては、腹部と背部とが着用者の腰部周囲において重なり合わない点、左右の突出布により着用者の腰部の開口の一部分及び着用者の脚の開口の一部分が形成される点が認められる。
　上記（ｅ）〜（ｇ）の記載を総合すると、第２引用例には、「おむつの使用時において、腹部と背部とが着用者の腰部周囲において重なり合うことなく、左右の突出布の上縁部により着用者の腰部の開口の一部分が形成され、左右の突出布の下縁部により着用者の脚の開口の少なくとも一部分が限定される」技術的事項が記載されているものと認める。
　
３　本願発明１に対して
３−１　対比
　本願発明１と第１引用例に記載された発明とを対比すると、後者の「腹側」、「背側」、「使捨ておむつ」、「液不透過性の防漏層」、「液透過性の表面層」、「吸収層」及び「止着部」は、前者の「前部分」、「後部分」、「使い捨て吸収性物品」、「外側カバー」、「透液性の身体側ライナー」、「吸収性材料」及び「ファスナ」に相当する。
　また、後者の「１対のネット状の弾性体を止着した連結体」は伸縮性を有するものであるところ、本願発明１の「１対のエラストマー耳部を形成するエラストマー材料」も、明細書の記載によれば「少なくとも一方向に引き伸ばすことができる」（明細書第１３頁第１４、１５行）ものであるので、後者の「１対のネット状の弾性体を止着した連結体」は前者の「１対のエラストマー耳部」に相当する。
　してみると、両者は、本願発明１の表記にならえば、
　「前部分と、後部分と、前部分及び後部分を接続している股部分とを有する使い捨て吸収性物品において、
　外側カバーと、
　透液性の身体側ライナーと、
　前記カバーと前記身体側ライナーとの間に配置されている吸収性材料と、
　前記後部分に取付けられており、内側縁部、外側縁部、第１接続縁部及び第２接続縁部を有し、第１接続縁部及び第２接続縁部は、内側縁部と外側縁部とを接続し、前記第２接続縁部は前記第１接続縁部に対して平行ではなく、前記内側縁部は前記外側縁部よりも長くしてある、１対のエラストマー耳部と、
　前記エラストマー耳部に結合され、該エラストマー耳部を前部分に重ね合わせた関係に固着するファスナとを備えた使い捨て吸収性物品。」である点で一致し、次の点で相違している。
　〈相違点〉
　本願発明１は、「使用時において、前記前部分と前記後部分とが着用者の腰部周囲において重なり合うことなく、前記第１接続縁部により着用者の腰部の開口の一部分が形成され、前記第２接続縁部により着用者の脚の開口の少なくとも一部分が限定される」のに対し、第１引用例に記載のものは、使用時において、前記前部分と前記後部分とが着用者の腰部周囲において重なり合うことがない点、前記第１接続縁部により着用者の腰部の開口の一部分が形成される点及び前記第２接続縁部により着用者の脚の開口の少なくとも一部分が限定される点、それぞれに関して言及がない点。 
　
３−２　相違点の判断
 　第２引用例には上述した如く「おむつの使用時において、腹部と背部とが着用者の腰部周囲において重なり合うことなく、左右の突出布の上縁部により着用者の腰部の開口の一部分が形成され、左右の突出布の下縁部により着用者の脚の開口の少なくとも一部分が限定される」技術的事項が記載されているものと認める。ここで、第２引用例に記載の「左右突出布」は横方向に伸縮性を有するものであるから、本願発明１の「１対のエラストマー耳部」に相当する。してみると、上記相違点に係る構成は第２引用例に記載されているものと認める。 
 　そして、第１引用例に記載のものと第２引用例に記載のものが、「使い捨てのもの」と「繰り返して使用するもの」との差異はあるものの、「おむつ」である点で同一の技術分野に属するものであり、しかも、第１引用例に記載のものに第２引用例に記載の技術的事項を適用することを妨げる特段の事情も見受けられない。
 　よって、第１引用例に記載のものに第２引用例に記載の技術的事項を適用して、上記相違点に係る本願発明１の構成とすることは、当業者が容易に想到し得るものと認める。 　そして、本願発明１の効果は、第１、２引用例に記載された発明から、当業者であれば予測できる範囲内のものであって格別なものとはいえない。
　
４　本願発明２に対して
４−１　対比
　本願発明２と第１引用例に記載された発明を対比すると、両者は、本願発明２の表記にならえば、
　「使い捨て吸収性物品に使用されるエラストマー耳部において、
　内側縁部、外側縁部、第１接続縁部および第２接続縁部を有し、第１接続縁部および第２接続縁部は、内側縁部及び外側縁部を接続しており、第２接続縁部は第１接続縁部に対して平行でなく、前記内側縁部を外側縁部よりも長くしてあるエラストマー材料の本体と、
　エラストマー耳部に結合され、該エラストマー耳部を基層に剥離可能なように固着するファスナとから成るエラストマー耳部。」である点で一致し、次の点で相違している。
〈相違点〉
　本願発明２は、「使用時において、前記第１接続縁部は着用者の腰部開口の一部分を形成し、前記第２接続縁部は、着用者の脚用開口の少なくとも一部分を限定する」のに対し、第１引用例に記載のものは、使用時において、前記第１接続縁部は着用者の腰部開口の一部分を形成し、前記第２接続縁部は、着用者の脚用開口の少なくとも一部分を限定する点に関して言及がない点。
４−２　相違点の判断
　第２引用例には上述した如く「おむつの使用時において、腹部と背部とが着用者の腰部周囲において重なり合うことなく、左右の突出布の上縁部により着用者の腰部の開口の一部分が形成され、左右の突出布の下縁部により着用者の脚の開口の少なくとも一部分が限定される」技術的事項が記載されているものと認める。ここで、第２引用例に記載の「突出布」は横方向に伸縮性を有するものであるから、本願発明２の「エラストマー耳部」に相当する。してみると、上記相違点に係る構成は第２引用例に記載されているものと認める。
　そして、第１引用例に記載のものと第２引用例に記載のものが、「使い捨てのもの」と「繰り返して使用するもの」との差異はあるものの、「おむつ」である点で同一の技術分野に属するものであり、しかも、第１引用例に記載のものに第２引用例に記載の技術的事項を適用することを妨げる特段の事情も見受けられない。
　よって、第１引用例に記載のものに第２引用例に記載の技術的事項を適用して、上記相違点に係る本願発明２の構成とすることは、当業者が容易に想到し得るものと認める。 　そして、本願発明２の効果は、第１、２引用例に記載された発明から、当業者であれば予測できる範囲内のものであって格別なものとはいえない。
　
５　むすび
　したがって、本願発明１、２は、第１、２引用例に記載された発明に基づいて、当業者が容易に発明をすることができたものであるから、特許法第２９条第２項の規定により特許を受けることができないので、本願は、特許請求の範囲の請求項２乃至１４及び１６乃至２９に係る発明を検討するまでもなく、拒絶すべきものである。
　よって、結論のとおり審決する。